(57)【要約】【目的】露出した給電端子に手が触れる可能性の少ない充電装置を提供する。【構成】コードレス電話器Ｂが装着される凹部１１０Ａの底面に形成された開口１１１Ａ及び凹部１１０Ａの同電話器Ｂの充電端子１０に対向位置に形成された開口１１２Ａを有するケース１００と、先端部２１０が開口１１１Ａを通じて同電話器Ｂの背面に接触し、ケース１００内に回動自在に保持されたレバー２００と、先端部３１０が開口１１２Ａを通じて同電話器Ｂの充電端子１０に接触し、ケース１００内に長手方向に移動自在に配設された一対の給電端子３００と、レバー２００と給電端子３００とを連結し、レバー２００の回転運動を給電端子３００の直線運動に変換する運動方向変換機構４００と、同機構４００に取り付けられ、先端部２１０を開口１１１Ａから突出させ、且つ先端部３１０を開口１１２Ａ内に収納した状態を維持するスプリング５００とを具備する。【選択図】      図２
2004304978.tif 000002
【特許請求の範囲】
【請求項１】
携帯電話器や家庭用電話器の子機等のコードレス電話器を充電するのに使用される充電装置において、コードレス電話器が装着される凹部の底面に形成された第１の開口及び前記凹部の当該コードレス電話器の充電端子に対向する位置に形成された第２の開口を有するケースと、先端部が前記第１の開口を通じてコードレス電話器の背面に接触可能であり且つ前記ケース内に回動自在に保持されたレバーと、先端部が第２の開口を通じてコードレス電話器の充電端子に接触可能であり且つ前記ケース内に長手方向に移動自在に各々配設された一対の給電端子と、前記レバーと一対の給電端子との間を連結すると共に前記レバーの回動運動を一対の給電端子の直線運動に変換する運動方向変換機構と、この運動方向変換機構に取り付けられ、前記レバーの先端部を前記第１の開口から突出させ、且つ前記給電端子の先端部を前記第２の開口内に収納した状態を維持するスプリングとを具備しており、前記ケースの凹部にコードレス電話器が装着され、当該コードレス電話器により前記レバーが押し下げられると、当該レバーが回転し、前記スプリングの付勢力に抗して前記給電端子が直線移動し、これにより当該給電端子の先端部が前記第２の開口から突出し、前記充電端子に接触するようになっていることを特徴とする充電装置。
【請求項２】
請求項１記載の充電装置において、前記運動方向変換機構は、前記給電端子が取り付けられており且つ長手方向に移動自在なホルダを有し、当該ホルダには、前記レバーの後端部が挿入される係合溝が設けられており、レバーの回転に伴って当該レバーの後端部が係合溝の端部に当接し、これにより前記ホルダを長手方向に直線移動させる構成となっていることを特徴とする充電装置。
【請求項３】
請求項２記載の充電装置において、前記給電端子は、金属線を折り曲げたバネであって、その先端部が前記第２の開口から突出する方向に付勢するようになっていることを特徴とする充電装置。
【請求項４】
請求項１、２又は３記載の充電装置において、前記給電端子は、充電用アダプタが接続されるコネクタとケーブルを介して電気的に接続されていることを特徴とする電源装置。
【請求項５】
請求項１、２、３又は４記載の充電装置において、前記ケースには、前記凹部に装着されたコードレス電話器を着脱自在に保持する保持機構が設けられていることを特徴とする充電装置。
【発明の詳細な説明】
【０００１】
【発明の属する技術分野】
本発明は、携帯電話器や家庭用電話器の子機等のコードレス電話器を充電する充電装置に関する。
【０００２】
【従来の技術】
この種の充電装置としては、コードレス電話器が装着されていない状態で、給電端子がケースから露出しているものがある。すなわち、給電端子が常に露出しているため、この給電端子に誤って触れると、充電装置自体が短絡したり給電端子に触れた子供等が低温火傷を負ったりする危険性を有していた。
【０００３】
このため、近年の充電装置は、充電端子の短絡等を防止するために、コードレス電話器が装着されていない状態で、給電端子がケース内に収納される機能を有するものがある。
【０００４】
この充電装置の具体的な構成は、コードレス電話器が装着される凹部の底面に形成された第１の開口及び前記凹部の当該コードレス電話器の充電端子に対向する位置に形成された第２の開口を有するケースと、先端部が前記第１の開口を通じてコードレス電話器の背面に接触可能であり且つ前記ケースに回動自在に各々保持された一対のレバーと、このレバーに各々取り付けられ、当該レバーの先端部を第１の開口側に各々付勢する一対のスプリングとを具備し、このスプリングは、前記レバーに取り付けられ、当該レバーを付勢するバネ部と、このバネ部から延出され、略へ字形状に折り曲げられた給電端子部とを有しており、この給電端子部は前記レバーの後端部によって下方に各々押し下げられている。従って、コードレス電話器が前記凹部に装着され、当該コードレス電話器により前記レバーがバネ部の付勢力に抗して押下されると、当該レバーが回転し、これにより給電端子部が前記レバーの後端部から各々解放され、当該給電端子部が前記第２の開口から各々突出するようになっている（  特許文献１参照）  。
【０００５】
【特許文献１】
特開２００３−９４０９号公報
【０００６】
【発明が解決しようとする課題】
ところが、前記充電装置は、給電端子部をケース内に収納するための機構がその構成上ケースの一端側に集中して設けられている。すなわち、前記凹部の第１の開口から突出した前記レバーの先端部と、当該レバーの先端部を押下することにより第２の開口から突出する給電端子部とが近い位置に配置されている。このため、子供等が前記凹部の第１の開口から突出した前記レバーの先端部を手で押下すると、第２の開口から突出する給電端子部に子供等の手が触れ、当該子供が低温火傷を負ったり装置自体が短絡したりする危険性が依然としてあった。
【０００７】
本発明は、上記事情に鑑みて創案されたものであって、その目的とするところは、上述した危険性の少ない充電装置を提供することにある。
【０００８】
【課題を解決するための手段】
上記課題を解決するために、本発明に係る充電装置は、携帯電話器や家庭用電話器の子機等のコードレス電話器を充電するのに使用される充電装置において、コードレス電話器が装着される凹部の底面に形成された第１の開口及び前記凹部の当該コードレス電話器の充電端子に対向する位置に形成された第２の開口を有するケースと、先端部が前記第１の開口を通じてコードレス電話器の背面に接触可能であり且つ前記ケース内に回動自在に保持されたレバーと、先端部が第２の開口を通じてコードレス電話器の充電端子に接触可能であり且つ前記ケース内に長手方向に移動自在に各々配設された一対の給電端子と、前記レバーと一対の給電端子との間を連結すると共に前記レバーの回動運動を一対の給電端子の直線運動に変換する運動方向変換機構と、この運動方向変換機構に取り付けられ、前記レバーの先端部を前記第１の開口から突出させ、且つ前記給電端子の先端部を前記第２の開口内に収納した状態を維持するスプリングとを具備しており、前記ケースの凹部にコードレス電話器が装着され、当該コードレス電話器により前記レバーが押し下げられると、当該レバーが回転し、前記スプリングの付勢力に抗して前記給電端子が直線移動し、これにより当該給電端子の先端部が前記第２の開口から突出し、前記充電端子に接触するようになっている。
【０００９】
前記運動方向変換機構は、前記給電端子が取り付けられており且つ長手方向に移動自在なホルダを有し、当該ホルダには、前記レバーの後端部が挿入される係合溝が設けられており、レバーの回転に伴って当該レバーの後端部が係合溝の端部に当接し、これにより前記ホルダを長手方向に直線移動させる構成となっている。
【００１０】
この場合、前記給電端子は金属線を折り曲げたバネであって、その先端部が前記第２の開口から突出する方向に付勢するようになっている方が良い。このように給電端子にバネ材を用いると、コードレス電話器の充電端子に接触した際に、所定の接触圧を確保することができる。
【００１１】
また、前記給電端子は、充電用アダプタが接続されるコネクタとケーブルを介して電気的に接続されている。従って、当該給電端子にコードレス電話器の充電端子が接触すると、当該コードレス電話器の内蔵電池に充電電圧が印加され、充電が行われる。
【００１２】
より好ましくは、前記ケースには、前記凹部に装着されたコードレス電話器を着脱自在に保持する保持機構が設けられていることが望ましい。このように保持機構を備えた場合、装着されたコードレス電話器を保持することができるので、当該コードレス電話器が充電装置から簡単に外れてしまうというようなことがなくなる。
【００１３】
【発明の実施の形態】
以下、本発明の実施の形態に係る充電装置について図面を参照しながら説明する。図１は、本発明の実施の形態に係る充電装置を説明するための図であって、（  ａ）  が同装置のケースの側面図、（  ｂ）  が同装置の上ケースの底面図、（  ｃ）  が同装置の上ケースの上面図、図２は、（  ａ）  が同装置のコードレス電話器装着前の断面図、（  ｂ）  が同装置のコードレス電話器装着後の断面図、図３は同装置のレバーを説明するための図であって、（  ａ）  が上面図、（  ｂ）  が正面図、（  ｃ）  が側面図、（  ｄ）  が底面図、図４は同装置のブロックを説明するための図であって、（  ａ）  が正面図、（  ｂ）  が上面図、図５は給電端子を説明するための図であって、（  ａ）  が側面図、（  ｂ）  が底面図、図６は、同装置のホルダを説明するための図であって、（  ａ）  が底面図、（  ｂ）  が側面図、図７は、同装置の保持機構のフックを説明するための図であって、（  ａ）  が側面図、（  ｂ）  が正面図、図８は、同装置の保持機構のフックバネを説明するための図であって、（  ａ）  が側面図、（  ｂ）  が正面図、図９は同装置のコネクタの正面図であって、（  ａ）  が底面図、（  ｂ）  が正面図である。
【００１４】
ここに掲げる充電装置Ａは、携帯電話器であるコードレス電話器Ｂを充電するのに使用される充電装置であって、コードレス電話器Ｂが装着される凹部１１０Ａの底面に形成された第１の開口１１１Ａ、１１１Ａ及び凹部１１０Ａのコードレス電話器Ｂの充電端子１０、１０に対向する位置に形成された第２の開口１１２Ａ、１１２Ａを有するケース１００と、先端部２１０、２１０が第１の開口１１１Ａ、１１１Ａを通じてコードレス電話器Ｂの背面に接触可能であり且つケース１００内に回動自在に保持されたレバー２００と、先端部３１０、３１０が第２の開口１１２Ａ、１１２Ａを通じてコードレス電話器Ｂの充電端子１０、１０に接触可能であり且つケース１００内に長手方向に移動自在に各々配設された一対の給電端子３００、３００と、レバー２００と一対の給電端子３００、３００との間を連結すると共にレバー２００の回転運動を一対の給電端子３００、３００の直線運動に変換する運動方向変換機構４００と、この運動方向変換機構４００に取り付けられ、レバー２００の先端部２１０、２１０を第１の開口１１１Ａ、１１１Ａから突出させ、且つ給電端子３００、３００の先端部３１０、３１０を第２の開口１１２Ａ、１１２Ａ内に収納した状態を維持するスプリング５００とを具備している。以下、各部を詳しく説明する。
【００１５】
ケース１００は、図１に示すように、凹部１１０Ａを有する上ケース１００Ａと、この上ケース１００Ａに取り付けられる下ケース１００Ｂとで構成される。上ケース１００Ａの凹部１１０Ａには、第１の開口１１１Ａ、１１１Ａ及び第２の開口１１２Ａ、１１２Ａの他、コードレス電話器Ｂに設けられた係合孔２０に対向する位置に形成された第３の開口１１３Ａが形成されている。
【００１６】
上ケース１００Ａの内部には、図１及び２に示すように、レバー２００を回動自在に軸支する一対の板状の第１の軸受部１２１Ａ、１２１Ａと、この第１の軸受部１２１Ａ、１２１Ａと当該上ケース１００Ａの一端側αの壁面との間に位置し、後述する保持機構７００のフック７１０を軸支する一対の板状の第２の軸受部１２２Ａ、１２２Ａと、第１の軸受部１２１Ａ、１２１Ａの間に位置し、後述する保持機構７００のフックバネ７２０はが当接する壁部１２３Ａと、第１の軸受部１２１Ａ、１２１Ａの両側に位置し、後述するブロック６００が取り付けられる円柱状のリブ１２４Ａ、１２４Ａとが形成されている。第１の軸受部１２１Ａ、１２１Ａには、レバー２００の軸部２３０、２３０が軸支される溝１２１１Ａ、１２１１Ａが、第２の軸受部１２２Ａ、１２２Ａには、フック７１０の軸部が軸支される溝１２２１Ａ、１２２１Ａがそれぞれ形成されている。
【００１７】
さらに、上ケース１００Ａの内部には、略中央に長さ方向に沿って配置された第１の立壁部１２５Ａと、当該上ケース１００Ａの他端側βに配置された第２の立壁部１２６Ａと、第１の立壁部１２５Ａに直交するように配置された第３の立壁部１２７Ａとが形成されている。第１の立壁部１２５Ａと第２の立壁部１２６Ａとには、後述する運動方向変換機構４００のホルダ４１０長さ方向にスライド自在に取り付けられる。第３の立壁部１２７Ａには、ホルダ４１０に取り付けられたスプリング５００の一端部が当接する。
【００１８】
レバー２００は、図２及び３に示すように、接触するコードレス電話器Ｂの背面を傷をつけないように角に丸みがつけられた側面視略三角形の一対の先端部２１０、２１０と、この先端部２１０、２１０同士を繋ぐ連結部２２０とを有している。該連結部２２０の両端には、第１の軸受部１２１Ａ、１２１Ａに軸支される軸部２３０、２３０が設けられている。また、連結部２２０の中央部には、先端部２１０、２１０と反対の方向に向けて後端部２４０が設けられている。このように構成したことによりレバー２００は軸部２３０、２３０を中心として回動するようになっている。なお、先端部２１０、２１０は、一対であるとしたが、コードレス電話器Ｂの形状に応じて適宜設計変更可能である。
【００１９】
ブロック６００は、図２及び４に示すように、上ケース１００Ａのリブ１２４Ａ、１２４Ａが嵌まり込む円筒部６１０、６１０と、この円筒部６１０、６１０から略水平に各々設けられた台座６２０、６２０とを有している。ブロック６００を上ケース１００Ａに取り付けると、台座６２０、６２０が第１の軸受部１２１Ａ、１２１Ａの溝１２１１Ａ、１２１１Ａを塞ぐようになっている。すなわち、レバー２００の軸部２３０、２３０は、第１の軸受部１２１Ａ、１２１Ａと台座６２０、６２０とによって回動自在に保持される。なお、ブロック６００で溝１２１１Ａ、１２１１Ａを塞ぐとしたが、下ケース１００Ｂに凸部等を設けて溝１２１１Ａ、１２１１Ａを塞ぐようにしてもかまわない。
【００２０】
給電端子３００、３００は、図２及び５に示すように、金属線を折り曲げた略Ｌ字形状のバネである。この給電端子３００、３００は、先端部３１０、３１０は略逆く字形状に各々折り曲げられており、第２の開口１１２Ａ、１１２Ａを通じてコードレス電話器Ｂの充電端子１０、１０に接触する。また、給電端子３００、３００は、後端部３２０、３２０は略ひ字形状に折り曲げられており、ホルダ４１０に取り付けられる。
【００２１】
この給電端子３００、３００の先端部３１０、３１０の下方位置には、略垂直に折り曲げられた折曲部３３０、３３０を各々有する。この折曲部３３０、３３０と後端部３２０、３２０との間には、コイル状に巻かれたバネ部３４０、３４０が各々設けられている。このバネ部３４０、３４０は、図５の（  ａ）  に示すように、後端部３２０、３２０が斜めになるように巻かれている。これにより、給電端子３００、３００は、ホルダ４１０に取り付けられると、先端部３１０、３１０が第２の開口１１２Ａ、１１２Ａから突出する方向に付勢されるようになっている。なお、この後端部３３０、３３０は、後述するコネクタ９００にケーブル８００、８００を介して電気的に接続される。
【００２２】
運動方向変換機構４００は、図２に示すように、レバー２００と一対の給電端子３００、３００との間を連結すると共にレバー２００の回動運動を一対の給電端子３１０、３１０の直線運動に変換するための機構である。
【００２３】
この運動方向変換機構４００は、図２及び６に示すように、上ケース１００Ａに長手方向に移動自在に保持されるホルダ４１０を有する。このホルダ４１０の一端側の両端部には、給電端子３００、３００の折曲部３３０、３３０が各々挿入される溝４１１ａ、４１１ａを各々有する凸部４１１、４１１と、給電端子３００、３００のバネ部３４０、３４０に各々嵌まり込む一対の凸部４１２、４１２と、給電端子３００、３００の後端部３２０、３２０が取り付けられる溝４１３ａ、４１３ａを各々有する凸部４１３、４１３とが設けられている。このように給電端子３００、３００がホルダ４１０に取り付けられる。
【００２４】
また、ホルダ４１０の他端側には、レバー２００の後端部２４０が挿入される係合孔４１４が設けられている。ホルダ４１０の係合孔４１４にレバー２００の後端部２４０が挿入された状態で、レバー２００が押されると、これに伴ってレバー２００が回転し、当該レバー２００の後端部２４０が係合孔４１４の端部に当接し、これによりホルダ４１０が長手方向に直線移動する。このようにしてレバー２００の回転運動が一対の給電端子３１０、３１０の直線運動に変換される。
【００２５】
また、ホルダ４１０の中央部分には、スプリング５００が入り込むための孔部４１５が設けられている。この孔部４１５は、スプリング５００の一端部が挿入される凸部４１５ａが設けられている。また、孔部４１５には、上ケース１００Ａの第３の立壁部１２７Ａが挿入されるようになっている。
【００２６】
すなわち、スプリング５００は、ホルダ４１０の凸部４１５ａにより保持され、図２に示すように、孔部４１５の内壁面と第３の立壁部１２７Ａとの間に挟まれるようになっている。これにより、ホルダ４１０を長さ方向の一端側αに向けて付勢し、レバー２００の先端部２１０、２１０を第１の開口１１１、１１１から突出させると共に、給電端子３００、３００の先端部３１０、３１０を第２の開口１１２Ａ、１１２Ａ内に収納した状態で維持する。
【００２７】
保持機構７００は、図２、７及び８に示すように、先端部７１１が第３の開口１１３Ａを通じてコードレス電話器Ｂの係合孔２０に係合されるフック７１０と、このフック７１０に取り付けられ、当該フック７１０を第３の開口１１３Ａの方向に付勢するフックバネ７２０とで構成されている。フック７１０の両端には、上ケース１００Ａの第２の軸受部１２２Ａ、１２２Ａの溝１２２１Ａ、１２２１Ａに軸支される軸部７１２、７１２が各々設けられている。
【００２８】
フックバネ７２０は、コイル状に巻かれたバネ部７２１、７２１と、このバネ部７２１、７２１から伸びる略コ字形状の一端部７２２と、バネ部７２１、７２１から一端部７２２と反対側に伸びる一対の開放端部７２３、７２３とを有している。
【００２９】
フックバネ７２０は、バネ部７２１、７２１がフック７１０の軸部７１２、７１２にそれぞれ巻きつけられており、この状態で一端部７２２が当該フック７１０の後端部に当接するようになっている。このフック７１０を上ケース１００Ａに取り付けると、フックバネ７２０の開放端部７２３、７２３が上ケース１００Ａの壁部１２３Ａに当接し、フック７１０の先端部７１１を第３の開口１１３Ａの方向に付勢する。従って、コードレス電話器Ｂが取り付けられると、フック７１０の先端部７１１がコードレス電話器Ｂの係合孔２０に係合され、これによりコードレス電話器Ｂは上ケース１００Ａの凹部１１０Ａに着脱自在に保持される。なお、この保持機構７００を設けることは任意である。
【００３０】
コネクタ９００は、図２及び９に示すように、図示しない充電用アダプタに接続される一般的なコネクタであり、ケーブル８００、８００が接続される基板９１０と、この基板９１０に取り付けられるコネクタ本体９２０とを有している。このコネクタ本体９２０は、上ケース１００Ａの一端側に開設された開口に取り付けられ、その接続部９２１が当該開口から露出している。なお、コネクタ９００を設けず、充電用のアダプタに内蔵される充電回路をケース内に設けることも可能である。この場合、ケーブル８００、８００は前記充電回路に接続される。
【００３１】
このように構成された充電装置Ａの上ケース１００Ａの凹部１１０Ａにコードレス電話器Ｂを装着すると、当該コードレス電話器Ｂによりレバー２００が押し下げられ、当該レバーが回転する。すると、スプリング５００の付勢力に抗してホルダ４１０と共に給電端子３００、３００が直線移動し、これにより当該給電端子３００、３００の先端部３１０、３１０が第２の開口１１２Ａ、１１２Ａから突出し、充電端子１０、１０に接触する。
【００３２】
このような充電装置Ａによる場合、レバー２００の回転運動をホルダ４１０及び給電端子３００、３００の直線運動に変えることができる運動方向変換機構４００を有しているので、レバー２００と給電端子３００、３００とを離れた位置に配置することができる。このため、手でレバー２００が誤操作されたとしても、これにより第２の開口１１２Ａ、１１２Ａから突出する給電端子３００、３００に当該手が接触する可能性を少なくすることができ、その結果として装置自体の短絡や給電端子３００、３００に接触することによって起こる低温火傷を防止することができる。
【００３３】
運動方向変換機構４００は、上述した構成に限定されることなく、レバー２００の回動運動を一対の給電端子３００、３００の直線運動に変換する構成であれば適宜設計変更可能である。例えば、スプリング５００につるまきばねを用い、レバー２００の軸部２３０、２３０に取り付け、レバー２００によってホルダ４１０を長さ方向の一端側αに付勢するように構成することも可能である。また、ホルダ４１０にはプリント基板を用いることができる。この場合、ケーブル８００の長さ寸法を短くすることができる。
【００３４】
なお、ここでは、携帯電話であるコードレス電話器Ｂを充電するために使用される充電装置として説明したが、これに限定されることなく、家庭用電話機の子機等のコードレス電話器を充電するために使用される充電装置に用いることも当然可能である。
【００３５】
【発明の効果】
以上説明とおり、本発明の充電装置による場合、前記レバーの回転運動を前記給電端子の直線運動に変える運動方向変換機構を有しているので、前記レバーと前記給電端子とを離して配置することができる。このため、従来例のごとく、手でレバーを誤操作したとしても、これにより突出する前記給電端子に当該手が接触する可能性が少なくすることができ、その結果として装置自体の短絡や手が給電端子に接触することによって生じる低温火傷の危険性を小さくすることができる。また、レバーの回転運動が給電端子の直線運動に変換されるようになっているので、大きなストロークを得ることができ、これに伴ってバネ定数の小さい給電端子を用いることもも可能になる。
【図面の簡単な説明】
【図１】本発明の実施の形態に係る充電装置を説明するための図であって、（  ａ）  が同装置のケースの側面図、（  ｂ）  が同装置の上ケースの底面図、（  ｃ）  が同装置の上ケースの上面図である。
【図２】（  ａ）  が同装置のコードレス電話器装着前の断面図、（  ｂ）  が同装置のコードレス電話器装着後の断面図である。
【図３】同装置のレバーを説明するための図であって、（  ａ）  が上面図、（  ｂ）  が正面図、（  ｃ）  が側面図、（  ｄ）  が底面図である。
【図４】同装置のブロックを説明するための図であって、（  ａ）  が正面図、（  ｂ）  が上面図である。
【図５】給電端子を説明するための図であって、（  ａ）  が側面図、（  ｂ）  が底面図、
【図６】同装置のホルダを説明するための図であって、（  ａ）  が底面図、（  ｂ）  が側面図である。
【図７】同装置の保持機構のフックを説明するための図であって、（  ａ）  が側面図、（  ｂ）  が正面図である。
【図８】同装置の保持機構のフックバネを説明するための図であって、（  ａ）  が側面図、（  ｂ）  が正面図である。
【図９】同装置のコネクタの正面図であって、（  ａ）  が底面図、（  ｂ）  が正面図である。
【符号の説明】
Ａ        充電装置
１００    ケース
１１０Ａ  凹部
１１１Ａ  第１の開口
１１２Ａ  第２の開口
２００    レバー
３００    給電端子
４００    運動方向変換機構
４１０    ホルダ
５００    スプリング
【図１】
2004304978.tif 000003
【図２】
2004304978.tif 000004
【図３】
2004304978.tif 000005
【図４】
2004304978.tif 000006
【図５】
2004304978.tif 000007
【図６】
2004304978.tif 000008
【図７】
2004304978.tif 000009
【図８】
2004304978.tif 000010
【図９】
2004304978.tif 000011